(57)【特許請求の範囲】
【請求項１】
支持脚により立脚して下地床面上に所定間隔をおいて配置された根太部材と、
隣合う前記根太部材間に架設され、上面に前記根太部材に沿って切欠溝が形成された床パネルと、
前記床パネルの切欠溝に係合する係合部を備え、前記係合部が、前記根太部材を挟んで隣合う前記床パネルの両切欠溝に係合して前記根太部材に上方から取着された蓋体とからなり、
前記根太部材は、上向きに立設された支持条部を備え、前記支持条部が前記床パネルの切欠溝の略鉛直下における底部と当接して前記蓋体の係合部とによって、前記床パネルを傾動可能に支持することを特徴とする配線・配管材の収容空間を有する床構造物。
【発明の詳細な説明】
【０００１】
【発明の属する技術分野】
本発明は、通信ケーブル、電力ケーブル等の配線及び給排水湯管、ガス管等の配管材を収容する収容空間を床下に形成した配線・配管材の収容空間を有する床構造物に関するものである。
【０００２】
【従来の技術】
従来のこの種の配線・配管材の収容空間を有する床構造物として、本願発明者が先に出願した特願平６−２４０１１３号に係る技術があり、これを図１２に基づいて説明する。
図において、支持脚１１により支持される長尺状の根太材２１と、この根太材２１間に架設される床パネル３１とにより床構造物が構成されており、根太材２１は、その上部に上方に突出し、長手方向に連続して形成された突条からなる支持部２１ａを有している。一方、床パネル３１はその下面に前記支持部２１ａの突条に嵌め合わせ可能な凹状に形成された係合部３５を有している。係る根太材２１及び床パネル３１は鉄鋼、アルミニウム等の金属、或いは、ポリエチレン、ＡＢＳ樹脂等の合成樹脂によって作製される。
【０００３】
このような支持部を有する根太材２１と係合部を有する床パネル３１とは、図に示されるように、根太材２１が下地床面上に所定間隔に配置され、その支持部２１ａに係合部３５が係合された状態で根太材２１に床パネル３１が支持され、床下に配線・配管材の収容空間が形成されるようになっている。
【０００４】
この床構造物によれば、根太材２１と床パネル３１とに設けられる支持部２１ａと係合部３５との係合構造により、左右方向の振動があっても床パネル３１が根太材２１から外れることはなく、また、下地床面の傾斜や不陸に対応させることができる。
【０００５】
【発明が解決しようとする課題】
しかし、上記床構造物においては、床パネル３１は自重のみによって支持部２１ａと係合する構成となっているため、上下方向に大きな振動があると、床パネル３１と根太材２１との係合が外れ、床パネル３１が上方に移動して外れることがあり、必ずしも十分に安全であるとは言えなかった。
【０００６】
そこで、本発明は、左右の振動のみならず、上下の振動に対しても床パネルが根太材から外れることがない配線・配管材の収容空間を有する床構造物の提供を課題とするものである。
【０００７】
【課題を解決するための手段】
請求項１の発明にかかる配線・配管材の収容空間を有する床構造物は、支持脚により立脚して下地床面上に所定間隔をおいて配置された根太部材と、隣合う根太部材間に架設され、上面に前記根太部材に沿って切欠溝が形成された床パネルと、前記床パネルの切欠溝に係合する係合部を備え、前記係合部が、根太部材を挟んで隣合う床パネルの両切欠溝に係合して根太部材に上方から取着された蓋体とからなり、前記根太部材が、上向きに立設された支持条部を備え、前記支持条部において前記床パネルの切欠溝の略鉛直下における底部と当接して前記蓋体の係合部とによって、床パネルを傾動可能に支持するものである。
【０００９】
【発明の実施の形態】
〈第一実施例〉
以下、本発明の実施例を図１乃至図５に基づいて説明する。
図において、下地床面１には支持脚１１が載置されており、前記支持脚１１は台座１２にボルト１３が鉛直上向きに取付けられており、前記ボルト１３は側方に螺着された止めねじ１４を介して高さ調整できるようになっている。前記ボルト１３の上方には、ボルト１３が挿通する本体１５が、内部に収容されたナット１６を介して取付けられている。そして、前記本体１５の側面には側方に弾性的に拡開し、係合爪１７ａを有する弾性突片１７が一体に設けられており、また、上面には２個の係合突起１５ａが一体に形成されている。
【００１０】
支持脚１１の上端には、断面形状一定の長尺状の根太材２１が載置されており、水平板部２２の下側には、鉛直下方に２個の下垂板部２３が形成され、更に、その下垂先端部には前記本体１５の係合爪１７ａと係合する係合凹部２３ａが全長に至って形成されている。即ち、この水平板部２２と２個の下垂板部２３とで区画された下部収容部２４には本体１５が収容され、係合爪１７ａと係合凹部２３ａとの弾性的な係合によって根太材２１が支持脚１１から上方に抜脱されるのが阻止されるようになっている。なお、根太材２１の水平板部２２には所定間隔で長孔２２ａが穿設されており、本体１５の係合突起１５ａが前記長孔２２ａの縁端部と当接して根太材２１が長手方向に移動するのが阻止されるようになっている。
【００１１】
一方、水平板部２２の上側には、鉛直上方に２個の立設板部２５が形成され、その先端部には内方に突出した係合爪２５ａが全長に至って対向して形成されている。この水平板部２２と２個の立設板部２５とで区画された上部収容部２６には蓋体取付部材２７が収容されており、前記蓋体取付部材２７は側方に弾性的に拡開する弾性突片２８が設けられ、その先端部に形成された係合爪２８ａが前記根太材２１の立設板部２５の係合爪２５ａと係合して上方に抜脱しないようになっている。
【００１２】
前記蓋体取付部材２７は、更に、その底面に突設された２個の係合突起２７ａが本体１５の水平板部２２の所定位置に穿設された長孔２２ｂの縁端部と当接して長手方向への移動が阻止されるようになっており、また、中央部には上下方向にねじ孔２７ｂが設けられている。
なお、上記支持脚１１と根太材２１とは請求項の根太部材を構成するものである。
【００１３】
３１は隣合う根太材２１の水平板部２２上に架設された矩形板状の床パネルであり、図４に示すように、上面３２の両端部には根太材２１に沿って切欠溝３３が設けられている。この床パネル３１は合成樹脂、アルミニウム等の金属などで形成されている。
【００１４】
４１は根太材２１の水平板部２２の左右両側に載置された床パネル３１の端部に架設された蓋体であり、図５に示すように、断面コ字状の合成樹脂板、アルミニウム板等からなり、両端部に折曲形成されたフランジ４２が隣合う床パネル３１の切欠溝３３と係合するとともに、上面４３の中央部に穿設された座孔４４に皿ねじ５１が挿通され、その皿ねじ５１が蓋体取付部材２７のねじ孔２７ｂに螺着されることによって床パネル３１の端部を上方から保持している。なお、前記床パネル３１は蓋体４１の上面４３と床パネル３１の上面３２とが略同一高さとなるよう、切欠溝３３の深さが設定されており、更に、これらの床パネル３１の上面３２及び蓋体４１の上面４３には図示しない絨毯、床マットなどの仕上材が載置されている。ここで、前記フランジ４２は請求項における蓋体の係合部に相当するものである。
【００１５】
これらの支持脚１１、根太材２１、床パネル３１及び蓋体４１とによって配線・配管材の収容空間を有する床構造物が構成されており、床パネル３１及び蓋体４１は、図３に示すような位置で、下地床面１上に配設されている。
【００１６】
次に、上記のように構成された本実施例の配線・配管材の収容空間を有する床構造物の作用を説明する。
床パネル３１は隣合う床パネル３１の端部の切欠溝３３に蓋体４１のフランジ４２が係合し、かつ、蓋体４１が皿ねじ５１を介して根太材２１に取付けられているので、水平方向の移動が規制される。また、床パネル３１は切欠溝３３において蓋体４１のフランジ４２が上方から係合し、かつ、前記蓋体４１が上方から根太材２１に取着されているので、上方向への移動が規制される。その結果、床パネル３１は左右、上下いずれの振動や衝撃があっても根太材２１から外れることはなく、したがって、全く安全である。
【００１７】
ここで、上記第一実施例の床パネル３１は、図６に示したものとすることもできる。
図において、床パネル３１は裏面に根太材２１と直交する方向に多数のリブ３４を有し、根太材２１の長手方向に可撓性を備え、これと直交する方向には剛性を備えたものである。
この床パネル３１を使用した場合には、図７に示すように、下地床面１上に所定間隔に配置された根太材２１同士がその長手方向に異なった傾斜状態で配置されていても、根太材２１間に架け渡された床パネル３１はその可撓性によってたわむとともに、必要な剛性をもって床面を構成できる。
【００１８】
また、上記第一実施例の配線・配管材の収容空間を有する床構造物は、図８に示したものとすることもできる。
図において、根太材２１は、前記実施例のような、上部収容部２６に蓋体取付部材２７が収容されるものではなく、水平板部２２には長孔２２ｂは形成されてはいない。一方、蓋体４１には、その裏面に、先端部に係合爪４５ａを有する係合部４５が全長に至って突設されており、その係合部４５の係合爪４５ａは前記根太材２１の立設板部２５の係合爪２５ａと係合するようになっている。
【００１９】
この実施例においても、蓋体４１はその係合部４５の係合爪４５ａが根太材２１の立設板部２５の係合爪２５ａと係合して根太材２１に保持されることにより、水平方向及び上方に移動することがない。その結果、蓋体４１のフランジ４２と係合している床パネル３１が振動、衝撃によって水平方向、上方のいずれの方向に対しても外れることがない。
この実施例の場合には、蓋体取付部材２７が不要であるため、簡易かつ安価に蓋体４１を根太材２１に取着することができる。
【００２０】
〈第二実施例〉
次に、本発明の第二実施例の配線・配管材の収容空間を有する床構造物を図９及び図１０に基づいて説明する。
図において、根太材２１は、水平板部２２の両縁部に鉛直上向きに支持条部２２ｃが全長に至って立設されている。そして、前記支持条部２２ｃは先端部が蓋体４１のフランジ４２の位置即ち床パネル３１の切欠溝３３の形成位置の略鉛直下における床パネル３１の底部と当接し、この部分において床パネル３１を下方から支持している。なお、図では、支持条部２２ｃの先端部が当接する床パネル３１の底部は平坦な底面となっているが、例えば、底面にコ字状の切欠溝が形成され、その内部底面に支持条部２２ｃの先端部が当接するものであってもよい。前記支持条部２２ｃの先端部及び蓋体４１のフランジ４２の先端部は丸みがつけられており、また、床パネル３１の切欠溝３３の内部及び床パネル３１の端部の上下面、側面においては蓋体４１のフランジ４２及び根太材２１との間に所定寸法の隙間が設けられている。即ち、床パネル３１は根太材２１の支持条部２２ｃ及び蓋体４１のフランジ４２の各先端部との当接によって支持条部２２ｃの先端部を軸として上下方向に傾動可能となっている。
したがって、本実施例によれば、下地床面１の傾斜或いは不陸への対応が容易である。
【００２１】
なお、前記支持条部２２ｃは、図１１に示すように、先端部にゴム等の弾性材２９を嵌着させてもよい。この場合には、支持条部２２ｃの先端部を保護できるとともに、弾性材２９自体で微小な傾斜、不陸を吸収でき、また、床パネル３１上の歩行時のがたつき及び異音の発生を防止できる。
【００２２】
この第二実施例においても、床パネル３１は、第一実施例と同様に、図６に示す、裏面に根太材２１と直交する方向に多数のリブ３４を有し、根太材２１の長手方向に可撓性を備え、これと直交する方向には剛性を備えたものとしてもよい。
【００２３】
ところで、上記各実施例の蓋体４１は、皿ねじ５１或いは係合部４５によって根太材２１に取着されているが、本発明を実施する場合には、これらの手段に限定されるものではなく、蓋体４１を上方から根太材２１に取着できれば、いかなる手段を用いてもよい。
【００２４】
また、上記各実施例では、根太材２１の支持条部２２ｃ、下垂板部２３の係合凹部２３ａ、立設板部２５の係合爪２５ａ、床パネル３１の切欠溝３３、蓋体４１のフランジ４２及び係合部４５は根太材２１に沿って全長に至って形成されているが、所定間隔をおいて部分的に形成したものであってもよい。
【００２５】
【発明の効果】
以上のように、請求項１の発明の配線・配管材の収容空間を有する床構造物は、隣合う根太部材間に床パネルが架設されるとともに、蓋体がその係合部において根太部材を挟んで隣合う床パネルの両切欠溝と係合し、根太部材に上方から取着されるとともに、前記根太部材は、上向きに立設された支持条部を備え、前記支持条部において前記床パネルの切欠溝の略鉛直下における底部と当接して前記蓋体の係合部とによって、床パネルを傾動可能に支持するものである。したがって、床パネルは水平方向及び上下方向の移動が規制され、左右、上下いずれの振動があっても根太部材から外れることがないので、全く安全である。また、特に、根太部材は床パネルを傾動可能に支持するから、前記床パネルを下地床面の傾斜或いは不陸に簡単に対応して設置することができる。
【図面の簡単な説明】
【図１】図１は本発明の第一実施例の配線・配管材の収容空間を有する床構造物を示す縦断面図である。
【図２】図２は本発明の第一実施例の配線・配管材の収容空間を有する床構造物を示す分解斜視図である。
【図３】図３は図１の床パネル及び蓋体を下地床面上に配設した状態を示す平面図である。
【図４】図４は図１の床パネルを示す斜視図である。
【図５】図５は図１の蓋体を示す斜視図である。
【図６】図６は図１の別の床パネルを示す斜視図である。
【図７】図７は図１の根太材同士が長手方向に異なって傾斜した状態を示す側面図である。
【図８】図８は本発明の第一実施例における別の配線・配管材の収容空間を有する床構造物を示す縦断面図である。
【図９】図９は本発明の第二実施例の配線・配管材の収容空間を有する床構造物を示す縦断面図である。
【図１０】図１０は本発明の第二実施例の配線・配管材の収容空間を有する床構造物を示す分解斜視図である。
【図１１】図１１は本発明の第二実施例における別の配線・配管材の収容空間を有する床構造物を示す縦断面図である。
【図１２】図１２は従来の配線・配管材の収容空間を有する床構造物を示す正面図である。
【符号の説明】
１            下地床面
１１        支持脚
２１    根太材
２２ｃ  支持条部
３１        床パネル
３３        切欠溝
４１        蓋体
４２        フランジ
【図１】
0003605736.tif 000002
【図２】
0003605736.tif 000003
【図３】
0003605736.tif 000004
【図４】
0003605736.tif 000005
【図５】
0003605736.tif 000006
【図６】
0003605736.tif 000007
【図７】
0003605736.tif 000008
【図８】
0003605736.tif 000009
【図９】
0003605736.tif 000010
【図１０】
0003605736.tif 000011
【図１１】
0003605736.tif 000012
【図１２】
0003605736.tif 000013